(57)【要約】【課題】  エアマッサージ器用圧力制御装置のソレノイド弁の数を低減する。【解決手段】  コンプレッサ４１にソレノイド三方弁４３が接続されており、圧力検出のためのセンサ４４が取り付けられている。三方弁４３の通気側にソレノイド二方弁４６〜４８が並列的に接続され、二方弁４６〜４８にはそれぞれ空気圧により膨張・収縮するセル４９〜５１が接続されている。  セル４９を膨らませる場合には、コンプレッサ４１を作動させた状態において、三方弁４３により空気を供給し、二方弁４６を開けると共に、二方弁４７、４８を閉じ、センサ４４からの出力が予め設定した圧力値になると、二方弁４６を閉じ、更にコンプレッサ４１を停止しセル４９内の圧力を保持する。そして、一定時間経過後に三方弁４３を排気側に切換え、二方弁４６を開けることによりセル４９内の空気を排気する。【選択図】        図１
2005058647.tif 000002
【特許請求の範囲】
【請求項１】
空気圧により膨張・収縮をする複数個のセルに対し、個別に圧力調節を行うエアマッサージ器用圧力制御装置において、通気口と排気口を択一的に切換える三方弁をコンプレッサに接続し、該三方弁の前記通気口に複数の二方弁を並列に接続し、これらの二方弁に前記セルを個別に接続し、制御手段により前記三方弁の前記切換え、及び前記二方弁の作動を個々に制御することを特徴とするエアマッサージ器用圧力制御装置。
【請求項２】
前記三方弁及び二方弁はソレノイド弁とした請求項１に記載のエアマッサージ器用圧力制御装置。
【発明の詳細な説明】
【技術分野】
【０００１】
本発明は、医療、エステティック業界等において用いるエアマッサージ器用圧力制御装置に関するものである。
【背景技術】
【０００２】
例えば、手術中や手術後の安静時に、下肢の深部静脈に発生した静脈血栓は肺塞栓症など患者の生命に係る症状に発展することもあって、外側から圧迫力を加えて、下肢の血行を促進するために、この種のエアマッサージ器が使われることがある。或いは、疲労回復のためにセルを順次に駆動して筋肉を揉みほぐすことに使用することもある。
【０００３】
しかし、従来のソレノイド弁を使用したエアマッサージ器用圧力制御装置は、膨張・収縮を繰り返す空気袋から成る各セルに対して、個別に圧力調整を簡便な手段により実現することは困難である。
【０００４】
通常では、セルを個別に圧力調整を行う場合には、図６に示すように下肢に巻回して使用する例えば３個のセル１〜３に対して、３個のソレノイド三方弁４〜６と、３個のソレノイド二方弁７〜９、１個のコンプレッサ１０を組み合わせた空気圧回路が用いられている。しかしながら、この方法では１個のセルに対し、三方弁と二方弁の各１個ずつのソレノイド弁が必要とされ、セル１〜３の数に比例してコストが高くなる問題点がある。
【０００５】
また特許文献１では、図７に示すように４個のセル１１〜１４を有し、コンプレッサ１０には４個の三方弁１５〜１８が接続された空気圧回路が開示されている。しかし、この空気圧回路では実際の使用時に、先に膨らんだセル内の空気が次のセルが膨らむ際に回り込んでしまい、十分な圧力の保持が得られない問題点がある。
【０００６】
この問題点を解決するために、特許文献２では図８に示すように各三方弁１５〜１８のコンプレッサ１０側に逆止弁１９〜２２を設け、空気の回り込みを防止する方法が採用されている。
【０００７】
【特許文献１】特開平１１−１９１４５号公報
【０００８】
【特許文献２】特開２０００−１８９４７７号公報
【発明の開示】
【発明が解決しようとする課題】
【０００９】
しかしながら、上述の特許文献２において、各セル１１〜１４の圧力を調整する場合には、後から膨らむセルの圧力は先に膨らんだセルの圧力よりも同じか、それ以下でなければならず、セル１１〜１４の圧力を独立して調整するためには、図９に示すように三方弁１５〜１８の他に、更に他の三方弁３１〜３４を設け、１個のセルに対し２個の三方弁を使用する必要があり、コストアップとなる。
【００１０】
本発明の目的は、上述の課題を解決し、ソレノイド弁の数を増加させることなく、複数個のセルに対して独立した圧力調整とコストダウンを達成できるエアマッサージ器用圧力制御装置を提供することにある。
【課題を解決するための手段】
【００１１】
上記目的を達成するための本発明に係るエアマッサージ器用圧力制御装置は、空気圧により膨張・収縮をする複数個のセルに対し、個別に圧力調節を行うエアマッサージ器用圧力制御装置において、通気口と排気口を択一的に切換える三方弁をコンプレッサに接続し、該三方弁の前記通気口に複数の二方弁を並列に接続し、これらの二方弁に前記セルを個別に接続し、制御手段により前記三方弁の前記切換え、及び前記二方弁の作動を個々に制御することを特徴とする。
【発明の効果】
【００１２】
本発明のエアマッサージ器用圧力制御装置は、他のセルの影響を受けることなく、各セルの圧力を独立して自在に調整が可能となる。
【００１３】
また、従来のように１個のセルに対して、２個のソレノイド弁を使用する必要がないため、コストダウンが可能となる。
【発明を実施するための最良の形態】
【００１４】
セルごとに独立して圧力を調整するという目的を、最小のソレノイド弁の個数で実現した。
【実施例１】
【００１５】
図１は実施例１における空気圧回路の基本構成図を示しており、コンプレッサ４１により圧縮した空気を供給するための空気供給管４２にソレノイド三方弁４３が接続されており、供給管４２に圧力検出のためのセンサ４４が取り付けられている。更に、ソレノイド三方弁４３は択一的に選択される通気口と排気口を有し、通気口に接続した供給管４５には、ソレノイド二方弁４６〜４８が並列的に接続され、これらのソレノイド二方弁４６〜４８にはそれぞれ、空気圧により膨張・収縮するセル４９〜５１が接続されている。そして、コンプレッサ４１、三方弁４３、各二方弁４６〜４８は図示しない制御手段の指令により個別に作動するようになっている。
【００１６】
例えば、セル４９を膨張させる場合には、コンプレッサ４１を作動させてソレノイド三方弁４３を介して供給管４５に空気を供給し、制御手段によりソレノイド二方弁４６を開けると共に、ソレノイド二方弁４７、４８を閉じ、センサ４４からの出力が予め設定した圧力値になると、ソレノイド二方弁４６を閉じ、更にコンプレッサ４１を停止しセル４９内の圧力を保持する。そして、一定時間経過後にソレノイド三方弁４３を排気側に切換えて、ソレノイド二方弁４６を開けることによりセル４９内の空気を供給管４５を介して排気し、セル４９を収縮する。
【００１７】
同様に、セル５０を膨張させる場合には、ソレノイド三方弁４５により供給管４２に空気を供給し、ソレノイド二方弁４７を開け、ソレノイド二方弁４６、４８を閉じ、センサ４４により所定の圧力が得られたことが確認されるとソレノイド二方弁４７を閉じ、コンプレッサ４１を停止してセル５０内の圧力を保持する。
【００１８】
このように、ソレノイド二方弁４６〜４８によって各セル４９〜５１間の空気を遮断することにより、他のセルへの空気の回り込みが発生しないため、他のセルに無関係に独立した圧力調整が可能となる。
【００１９】
ただし、この空気圧回路では３個のソレノイド二方弁４６〜４８に対して、１個のソレノイド三方弁４３を共用しているため、一方のセルに対する給気と他方のセルに対する排気を同時に行うことはできない。
【００２０】
従って、図２に示すように、空気圧マッサージ器において最も一般的な隣り合うセルが、同時に給気排気を行うマッサージパターンを実現することはできない。
【実施例２】
【００２１】
図３は実施例２の空気圧回路の構成図を示し、実施例１の上述の問題点を解消するために、図１の空気圧回路を用いた１個のソレノイド三方弁４３と３個のソレノイド二方弁４６〜４８が１組とされた２組の空気圧回路６１、６１’が並列に使用され、６個のセル６３〜６８に対する空気の供給を、セル交互に空気圧回路６１、６１’に接続されている。
【００２２】
図４は実施例２の変形例を示し、図１の空気圧回路を用いた１個のソレノイド三方弁４３と２個のソレノイド二方弁４６、４７が１組とされた３組の空気圧回路６１、６１’、６１”が並列に使用され、６個のセル６３〜６８に対する空気の供給を、セル２つおきに空気圧回路６１、６１’ 、６１”に接続されている。
【００２３】
従って、セルに対する二方弁の数は同数であり、三方弁の数を空気圧回路の数に相当させることにより、セル６３〜６８の前後関係に依存しない圧力の調整が可能となり、複数組の空気圧回路間では、給気と排気を同時に行うことができ、マッサージパターンの自由度を大幅に向上できる。
【実施例３】
【００２４】
図５は実施例３の空気圧回路の構成図を示しており、マッサージパターンによっては、実施例２のような複数組の空気圧回路を使用しなくともよい。例えば、６個のセル６３〜６８を順次に加圧後に、一斉に全セル６３〜６８を排気するようなマッサージパターンのみの場合には、図１の基本構成図に対し、セル、二方弁の数を増加し、１個のソレノイド三方弁４３に対し、セル６３〜６８の個数分だけの６個のソレノイド二方弁７１〜７６の並列接続によって、セル６３〜６８の個別の圧力調整が可能となる。
【産業上の利用可能性】
【００２５】
更に、より複雑なマッサージパターンを実現するには、空気圧回路の数を増加するなどで対処することができる。
【図面の簡単な説明】
【００２６】
【図１】実施例１の空気圧回路の基本構成図である。
【図２】セルの作動説明図である。
【図３】実施例２の空気圧回路の構成図である。
【図４】実施例２の変形例の空気圧回路の構成図である。
【図５】実施例３の空気圧回路の構成図である。
【図６】従来の空気圧回路の構成図である。
【図７】従来の空気圧回路の構成図である。
【図８】従来の空気圧回路の構成図である。
【図９】従来の空気圧回路の構成図である。
【符号の説明】
【００２７】
４１  コンプレッサ
４２、４５  供給管
４３  ソレノイド三方弁
４４  センサ
４６〜４８、７１〜７６  ソレノイド二方弁
４９〜５１、６３〜６８  セル
６１、６１’、６１”  空気圧回路
【図１】
2005058647.tif 000003
【図２】
2005058647.tif 000004
【図３】
2005058647.tif 000005
【図４】
2005058647.tif 000006
【図５】
2005058647.tif 000007
【図６】
2005058647.tif 000008
【図７】
2005058647.tif 000009
【図８】
2005058647.tif 000010
【図９】
2005058647.tif 000011